(57)【要約】【課題】  植生部に雨水を効果的に供給することができる植生壁を提供する。【解決手段】  植生擁壁１は、植生擁壁ブロック２が千鳥状に複数段積み重ねられて構築されるとともに、植生基盤材を収容するための植生部３を複数備える。そして、植生部３は、互いに隣接する植生擁壁ブロック２、２間に形成される目地１ａを含む目地部分（目地１ａおよびその周辺部分）に、壁面１ｂから背面１ｃ側に向かって、凹むようにして設けられている。【選択図】  図１
2009041258.tif 000002
【特許請求の範囲】
【請求項１】
ブロックが並べられて構築されるとともに、植生基盤材を収容するための植生部を備える、植生壁であって、
前記植生部は、互いに隣接する前記ブロック間に形成される目地を含む目地部分に、壁面から背面側に向かって、凹むようにして、または、貫通するようにして、設けられている、植生壁。
【請求項２】
前記植生部は、少なくとも前記ブロックのブロック本体が、その前面と後面とを繋ぐ周面において切り欠かれることによって形成されている、請求項１に記載の植生壁。
【請求項３】
前記ブロックは、上下に積み重なるようにして、並べられており、
前記植生部は、一の方向に延びる前記目地と他の方向に延びる前記目地とが交わる前記目地部分に設けられている、請求項１または２に記載の植生壁。
【請求項４】
前記一の方向は前記壁面の縦方向であり、前記他の方向は前記壁面の横方向である、請求項３に記載の植生壁。
【請求項５】
前記植生部は、前記背面側が下方に位置するように傾斜して形成されている、請求項１ないし４のいずれか１項に記載の植生壁。
【請求項６】
前記ブロック間に、前記植生部に近接するようにして、または、前記植生部に達するようにして、保水材を介在させてなる、請求項１ないし５のいずれか１項に記載の植生壁。
【請求項７】
前記ブロック間に雨水その他の水を導くための導水手段を、この植生壁の天端側から下方に向かって、前記ブロックのブロック本体内を貫通させて、または、前記ブロックのブロック本体の後面を伝わせて、前記ブロック間に達するように延設してなる、請求項１ないし６のいずれか１項に記載の植生壁。
【請求項８】
前記導水手段は、前記ブロック本体内を上下方向に貫通する貫通孔と、その貫通孔内に充填された、水の通水量を制約する詰め部材とを備える、請求項７に記載の植生壁。
【請求項９】
前記詰め部材は、繊維状の素材が絡み合った多孔質材からなる、請求項８に記載の植生壁。
【請求項１０】
前記天端側に、前記雨水その他の水を貯留する貯水部を備え、
その貯水部から、前記導水手段が延設されてなる、請求項７ないし９のいずれか１項に記載の植生壁。
【請求項１１】
植生基盤材を収容するための植生部を備えてなる植生壁を構成する、植生ブロックであって、
ブロック本体を備え、そのブロック本体の前面と後面とを繋ぐ周面には、前記植生部を形成するための切欠部が、前記前面から前記後面側に向かって設けられている、植生ブロック。
【請求項１２】
前記切欠部は、前記後面に至るように設けられている、請求項１１に記載の植生ブロック。
【請求項１３】
前記前面は多角形状に形成されており、
前記切欠部は、前記前面の角部から前記後面側に向かう、前記周面の角部に設けられている、請求項１１または１２に記載の植生ブロック。
【請求項１４】
前記前面は略矩形状に形成されており、
前記切欠部は、前記前面の四隅から前記後面側に向かう、前記周面の角部にそれぞれ設けられている、請求項１３に記載の植生ブロック。
【請求項１５】
前記切欠部は、前記ブロック本体の厚み方向に対して平行となる方向に延びるように設けられている、請求項１１ないし１４のいずれか１項に記載の植生ブロック。
【請求項１６】
前記周面に、保水材が取り付けられている、請求項１１ないし１５のいずれか１項に記載の植生ブロック。
【請求項１７】
前記周面に、保水材を収容するための収容凹部が設けられている、請求項１１ないし１５のいずれか１項に記載の植生ブロック。
【請求項１８】
前記保水材が、前記収容凹部に取り付けられている、請求項１７に記載の植生ブロック。
【請求項１９】
前記ブロック本体には、前記切欠部が設けられた前記周面に開口するようにして、そのブロック本体を貫通する、貫通孔が設けられている、請求項１１ないし１８のいずれか１項に記載の植生ブロック。
【請求項２０】
前記貫通孔内には、水の通水量を制約する詰め部材が充填されている、請求項１９に記載の植生ブロック。
【請求項２１】
前記詰め部材は、繊維状の素材が絡み合った多孔質材からなる、請求項２０に記載の植生ブロック。
【請求項２２】
前記後面には、繊維状の素材が絡み合った多孔質材が、前記切欠部が設けられた前記周面に達するようにして、取り付けられている、請求項１１ないし１８のいずれか１項に記載の植生ブロック。
【請求項２３】
前記周面には、粒状物の付着による凹凸が形成されている、請求項１１ないし２２のいずれか１項に記載の植生ブロック。
【請求項２４】
ブロックが並べられて構築された既設の壁を利用して、植生壁を形成する、植生壁の形成方法であって、
植生基盤材を収容するための植生部を、互いに隣接する前記ブロック間に形成される目地を含む目地部分に、前記壁の壁面から背面側に向かって、凹むようにして、または、貫通するようにして設ける、植生壁の形成方法。
【請求項２５】
前記ブロックは、上下に積み重なるようにして、並べられており、
前記植生部を、一の方向に延びる前記目地と他の方向に延びる前記目地とが交わる前記目地部分に設ける、請求項２４に記載の植生壁の形成方法。
【請求項２６】
前記植生部を、前記背面側が下方に位置するように傾斜して形成する、請求項２４または２５に記載の植生壁の形成方法。
【発明の詳細な説明】
【技術分野】
【０００１】
この発明は、壁面での植物の生育が可能な植生壁、およびその植生壁を構成する植生ブロック、並びに既設の壁を利用して植生壁を形成する植生壁の形成方法に関する。
【背景技術】
【０００２】
従来、壁面での植物の生育が可能な植生壁を構築する植生ブロックとしては、例えば、特許文献１に記載のブロックが知られていた。このブロックは、そのブロック本体の前面に、植物が生育する植生部としてのポット体が、その前面に迫り出して開口するように形成されていた。そして、基礎コンクリートの上面に、それらブロックを積み上げ配列し、１段ごとに砕石・栗石等を裏込めして締固めて積み上げることで、植生壁を構築していた。その後、構築された植生壁のポット体に土を入れ、適宜植栽することにより、そのポット体にて、すなわち、植生壁の壁面で植物が生育することとなった。
【０００３】
【特許文献１】実開平６−７４６４４号公報
【発明の開示】
【発明が解決しようとする課題】
【０００４】
ところで、このように植生壁の壁面で生育させる植物には、雨水を利用して水の供給を行うことで、その生育にかかるコストを低減することが望ましかった。ここで、前記従来のブロックによって構築された植生壁にあっては、雨水は、ポット体に直接降り注ぐか、あるいは、壁面を伝って、ポット体に供給されることにより、前記植物に水が供給されることとなる。したがって、例えば、少雨、あるいは、ごく短時間の降雨などの場合には、前記植物に水が十分に供給されない虞があった。この発明は、上記した従来の欠点を解決するためになされたものであり、その目的とするところは、植物が生育する植生部に、雨水その他の水を効果的に供給することができる、植生壁、およびその植生壁を構成する植生ブロック、並びに既設の壁を利用して前記植生壁を形成する、植生壁の形成方法を提供することにある。
【課題を解決するための手段】
【０００５】
この発明に係る植生壁、および植生ブロック、並びに植生壁の形成方法は、前記目的を達成するために、次の構成からなる。すなわち、請求項１に記載の発明に係る植生壁は、ブロックが並べられて構築されるとともに、植生基盤材を収容するための植生部を備える。そして、前記植生部は、互いに隣接する前記ブロック間に形成される目地を含む目地部分に、壁面から背面側に向かって、凹むようにして、または、貫通するようにして、設けられている。
【０００６】
この植生壁にあっては、植生基盤材を収容するための植生部が、互いに隣接するブロック間に形成される目地を含む目地部分に、壁面から背面側に向かって、凹むようにして、または、貫通するようにして、設けられているため、植生壁の壁面に降り注いだ雨水その他の水は、その目地を伝って、植生部に供給される。したがって、植生部に雨水その他の水を効果的に供給することができる。また、植生部に生育している植物が、例えば、前記ブロック間の間隙を這うようにして根を伸ばした場合には、植生部に供給された雨水その他の水に加えて、その間隙に溜まった雨水その他の水についても、前記植物に供給される。
【０００７】
また、請求項２に記載の発明に係る植生壁は、請求項１に記載の植生壁において、前記植生部は、少なくとも前記ブロックのブロック本体が、その前面と後面とを繋ぐ周面において切り欠かれることによって形成されている。
【０００８】
また、請求項３に記載の発明に係る植生壁は、請求項１または２に記載の植生壁において、前記ブロックは、上下に積み重なるようにして、並べられており、前記植生部は、一の方向に延びる前記目地と他の方向に延びる前記目地とが交わる前記目地部分に設けられている。このように、一の方向に延びる目地と他の方向に延びる目地とが交わる目地部分には、植生壁の壁面に降り注いだ雨水その他の水が集まり易い。したがって、その目地部分に植生部を設けることで、雨水その他の水が植生部に供給され易くなる。
【０００９】
また、請求項４に記載の発明に係る植生壁は、請求項３に記載の植生壁において、前記一の方向は前記壁面の縦方向であり、前記他の方向は前記壁面の横方向である。
【００１０】
また、請求項５に記載の発明に係る植生壁は、請求項１ないし４のいずれか１項に記載の植生壁において、前記植生部は、前記背面側が下方に位置するように傾斜して形成されている。こうすることで、雨水その他の水は植生部の奥側まで供給され易くなる。
【００１１】
また、請求項６に記載の発明に係る植生壁は、請求項１ないし５のいずれか１項に記載の植生壁において、前記ブロック間に、前記植生部に近接するようにして、または、前記植生部に達するようにして、保水材を介在させてなる。こうすることで、前記ブロック間に介在する保水材に、雨水その他の水が長期間に渡って蓄えられ易くなる。そして、植生部にて生育している植物が、例えば、そのブロック間の間隙を這うようにして根を伸ばし、その伸ばした根が保水材に達した場合には、その保水材に蓄えられた雨水その他の水についても、前記植物に供給される。したがって、雨水その他の水が、長期間に渡って前記植物に供給され易くなる。
【００１２】
また、請求項７に記載の発明に係る植生壁は、請求項１ないし６のいずれか１項に記載の植生壁において、前記ブロック間に雨水その他の水を導くための導水手段を、この植生壁の天端側から下方に向かって、前記ブロックのブロック本体内を貫通させて、または、前記ブロックのブロック本体の後面を伝わせて、前記ブロック間に達するように延設してなる。こうすることで、植生壁の天端側に降り注いだ雨水その他の水が、導水手段によって、ブロックのブロック本体内を通って、または、そのブロック本体の後面を伝って、前記ブロック間の間隙に導かれるため、その間隙に雨水その他の水が溜まり易くなる。そして、植生部にて生育している植物が、例えば、前記間隙を這うようにして根を伸ばした場合には、雨水その他の水が、前記植物に供給され易くなる。
【００１３】
また、請求項８に記載の発明に係る植生壁は、請求項７に記載の植生壁において、前記導水手段は、前記ブロック本体内を上下方向に貫通する貫通孔と、その貫通孔内に充填された、水の通水量を制約する詰め部材とを備える。この植生壁にあっては、植生壁の天端側に降り注いだ雨水その他の水は、ブロックのブロック本体内を上下方向に貫通する貫通孔を通って、前記ブロック間の間隙に導かれる。このとき、貫通孔を通る雨水その他の水の通水量は、その貫通孔内に充填された詰め部材によって、制約されるため、例えば、短時間に多量の雨が降った場合等には、その雨水は、貫通孔内を少量ずつ流れて、確実に前記間隙に導かれる。
【００１４】
また、請求項９に記載の発明に係る植生壁は、請求項８に記載の植生壁において、前記詰め部材は、繊維状の素材が絡み合った多孔質材からなる。
【００１５】
また、請求項１０に記載の発明に係る植生壁は、請求項７ないし９のいずれか１項に記載の植生壁において、前記天端側に、前記雨水その他の水を貯留する貯水部を備える。そして、その貯水部から、前記導水手段が延設されてなる。こうすることで、天端側に降り注いだ雨水その他の水は、貯水部に貯留され、その貯水部から延設された導水手段によって、前記ブロック間の間隙に導かれる。したがって、より多くの雨水その他の水を、前記ブロック間の間隙に導くことができる。
【００１６】
また、請求項１１に記載の発明に係る植生ブロックは、植生基盤材を収容するための植生部を備えてなる植生壁を構成する植生ブロックであって、ブロック本体を備え、そのブロック本体の前面と後面とを繋ぐ周面には、前記植生部を形成するための切欠部が、前記前面から前記後面側に向かって設けられている。
【００１７】
この植生ブロックにあっては、そのブロック本体に設けられた切欠部が、隣接する他の植生ブロックのブロック本体に設けられた切欠部と対向するようにして、または、隣接する他のブロック（植生ブロックあるいは他種のブロック）のブロック本体の周面と対向するようにして、並べられることにより、植生基盤材を収容するための植生部を、この植生ブロックと、隣接する他のブロック（植生ブロックあるいは他種のブロック）との間に形成される目地を含む目地部分に、壁面から背面側に向かって、凹むようにして、または、貫通するようにして備える、植生壁を構築することができる。
【００１８】
また、請求項１２に記載の発明に係る植生ブロックは、請求項１１に記載の植生ブロックにおいて、前記切欠部は、前記後面に至るように設けられている。
【００１９】
また、請求項１３に記載の発明に係る植生ブロックは、請求項１１または１２に記載の植生ブロックにおいて、前記前面は多角形状に形成されており、前記切欠部は、前記前面の角部から前記後面側に向かう、前記周面の角部に設けられている。この植生ブロックにあっては、例えば、上下に積み重なるようにして並べることにより、その前面の角部において、一の方向に延びる目地と他の方向に延びる目地とが交わるとともに、その交わる目地部分に植生部を備える、植生壁を構築することができる。
【００２０】
また、請求項１４に記載の発明に係る植生ブロックは、請求項１３に記載の植生ブロックにおいて、前記前面は略矩形状に形成されており、前記切欠部は、前記前面の四隅から前記後面側に向かう、前記周面の角部にそれぞれ設けられている。
【００２１】
また、請求項１５に記載の発明に係る植生ブロックは、請求項１１ないし１４のいずれか１項に記載の植生ブロックにおいて、前記切欠部は、前記ブロック本体の厚み方向に対して平行となる方向に延びるように設けられている。この植生ブロックにあっては、そのブロック本体の前面が上方を向くように傾斜させて並べることにより、植生壁の背面側が下方に位置するように傾斜して形成される植生部を備える、植生壁を構築することができる。
【００２２】
また、請求項１６に記載の発明に係る植生ブロックは、請求項１１ないし１５のいずれか１項に記載の植生ブロックにおいて、前記周面に、保水材が取り付けられている。こうすることで、隣接する他のブロック（植生ブロックあるいは他種のブロック）との間に、保水材を介在させてなる、植生壁を構築することができる。
【００２３】
また、請求項１７に記載の発明に係る植生ブロックは、請求項１１ないし１５のいずれか１項に記載の植生ブロックにおいて、前記周面に、保水材を収容するための収容凹部が設けられている。この植生ブロックにあっては、収容凹部に保水材を収容させて並べることにより、隣接する他のブロック（植生ブロックあるいは他種のブロック）との間に、保水材を介在させてなる、植生壁を構築することができる。
【００２４】
また、請求項１８に記載の発明に係る植生ブロックは、請求項１７に記載の植生ブロックにおいて、前記保水材が、前記収容凹部に取り付けられている。
【００２５】
また、請求項１９に記載の発明に係る植生ブロックは、請求項１１ないし１８のいずれか１項に記載の植生ブロックにおいて、前記ブロック本体には、前記切欠部が設けられた前記周面に開口するようにして、そのブロック本体を貫通する、貫通孔が設けられている。この植生ブロックにあっては、そのブロック本体の貫通孔が、上下に隣接する他の植生ブロックのブロック本体の貫通孔と連通するように、上下に積み重ねることにより、前記他の植生ブロックとの間に雨水その他の水を導くための導水手段を、植生壁の天端側から下方に向かって形成することができる。
【００２６】
また、請求項２０に記載の発明に係る植生ブロックは、請求項１９に記載の植生ブロックにおいて、前記貫通孔内には、水の通水量を制約する詰め部材が充填されている。
【００２７】
また、請求項２１に記載の発明に係る植生ブロックは、請求項２０に記載の植生ブロックにおいて、前記詰め部材は、繊維状の素材が絡み合った多孔質材からなる。
【００２８】
また、請求項２２に記載の発明に係る植生ブロックは、請求項１１ないし１８のいずれか１項に記載の植生ブロックにおいて、前記後面には、繊維状の素材が絡み合った多孔質材が、前記切欠部が設けられた前記周面に達するようにして、取り付けられている。この植生ブロックにあっては、そのブロック本体に取り付けられた多孔質材が、上下に隣接する他の植生ブロックのブロック本体に取り付けられた多孔質材と連なるように、それら植生ブロックを上下に積み重ねることにより、前記他の植生ブロックとの間に雨水その他の水を導くための導水手段を、植生壁の天端側から下方に向かって形成することができる。
【００２９】
また、請求項２３に記載の発明に係る植生ブロックは、請求項１１ないし２２のいずれか１項に記載の植生ブロックにおいて、前記周面には、粒状物の付着による凹凸が形成されている。こうすることで、隣接する他のブロック（植生ブロックあるいは他種のブロック）との間に形成される目地の幅を、粒状物の付着による凹凸分だけ広くすることができる。
【００３０】
また、請求項２４に記載の発明に係る植生壁の形成方法は、ブロックが並べられて構築された既設の壁を利用して、植生壁を形成する、植生壁の形成方法であって、植生基盤材を収容するための植生部を、互いに隣接する前記ブロック間に形成される目地を含む目地部分に、前記壁の壁面側から背面側に向かって、凹むようにして、または、貫通するようにして設ける。
【００３１】
また、請求項２５に記載の発明に係る植生壁の形成方法は、請求項２４に記載の植生壁の形成方法において、前記ブロックは、上下に積み重なるようにして、並べられており、前記植生部を、一の方向に延びる前記目地と他の方向に延びる前記目地とが交わる前記目地部分に設ける。
【００３２】
また、請求項２６に記載の発明に係る植生壁の形成方法は、請求項２４または２５に記載の植生壁の形成方法において、前記植生部を、前記背面側が下方に位置するように傾斜して形成する。
【発明の効果】
【００３３】
この発明に係る植生壁、および植生ブロック、並びに植生壁の形成方法によれば、壁面に降り注いだ雨水その他の水が、互いに隣接するブロック間に形成される目地を含む目地部分に設けられた植生部に、その目地を伝って供給されるため、その植生部に雨水その他の水を効果的に供給することができる。
【発明を実施するための最良の形態】
【００３４】
以下、この発明に係る植生壁、および植生ブロック、並びに植生壁の形成方法を、図面に基づいて説明する。図１〜１０は、本発明の一実施の形態を示す。図中符号１は、植生壁としての植生擁壁である。２は、植生擁壁１を構成する、植生ブロックとしての植生擁壁ブロックである。
【００３５】
植生擁壁１は、複数の植生擁壁ブロック２、２が並べられて構築されるとともに、植生基盤材を収容するための植生部３を複数備える。そして、植生部３は、互いに隣接する植生擁壁ブロック２、２間に形成される目地１ａを含む目地部分（目地１ａおよびその周辺部分）に、植生擁壁１の壁面１ｂから背面１ｃ側に向かって、凹むようにして設けられている。また、この植生部３は、少なくとも植生擁壁ブロック２のブロック本体２ａが、その前面２ｂと後面２ｃとを繋ぐ周面２ｄにおいて切り欠かれることによって形成されている。
【００３６】
具体的には、植生擁壁１は、壁面１ｂが上方を向く傾斜面を形成するようにして、法面１００に構築された勾配積み擁壁であって、基礎コンクリート１０１の上に、複数の植生擁壁ブロック２、２が、上下に積み重なるようにして並べられて、構築されている（図１〜４参照）。詳細には、植生擁壁ブロック２は、正面視略矩形状のブロック本体２ａを備えており、各段において左右に水平に並ぶようにして、複数段積み重ねられている（すなわち、平積みされている）。より詳細には、植生擁壁ブロック２は、各段の上下において、ブロック本体２ａの横幅の１／２だけ左右にずれるようにして、千鳥状に複数段積み重ねられて、壁面１ｂの縦方向Ｐに延びる目地１ａ（縦目地１ｄ）が、その縦方向Ｐに沿って、各段ごとに交互に形成されている（すなわち、馬積みされている）。そして、それら積み重ねられた植生擁壁ブロック２、２の上に、天端ブロック１０２が、同じく千鳥状を形成するように積み重ねられている。また、法面１００と、植生擁壁ブロック２および天端ブロック１０２との間には、裏込め砕石層１０３とコンクリート層（図示実施の形態においては、胴込めコンクリートおよび裏込めコンクリートからなる）１０４とが形成されている（図３参照）。また、天端ブロック１０２、１０２の上部およびその後方には、天端コンクリート１０５が打設されている。なお、図示実施の形態においては、コンクリート層１０４における、裏込め砕石層１０３に臨む面が、植生擁壁１の背面１ｃとなる。
【００３７】
そして、植生部３は、一の方向となる前記縦方向Ｐに延びる目地１ａ（前記縦目地１ｄ）と他の方向となる壁面１ｂの横方向Ｑに延びる目地１ａ（横目地１ｅ）とが交わる目地部分に設けられている（図１、２参照）。詳細には、植生部３は、壁面１ｂに略円形状に開口しており、その中心は、目地１ａ上（すなわち、縦目地１ｄと横目地１ｅとの交点上）に略位置している（図２参照）。また、植生部３は、奥側、すなわち背面１ｃ側が下方に位置するように傾斜して（詳細には、壁面１ｂに対して垂直な方向に延びるように傾斜して）形成されている（図３、４参照）。また、植生部３は、その奥側がコンクリート層１０４に達している。なお、図示実施の形態においては、天端ブロック１０２と植生擁壁ブロック２との間に形成される目地１ａを含む目地部分にも、同様に、植生部３が設けられている（図１参照）。
【００３８】
ここで、各植生擁壁ブロック２、２間には、目地１ａ，１ａ（縦目地１ｄ、１ｄと横目地１ｅ、１ｅ）から奥側に向かって、僅かな間隙１ｇ、１ｇが生じている。そして、この間隙１ｇは、前記縦方向Ｐまたは前記横方向Ｑに並ぶ植生部３、３間に渡るようにして、それら植生部３、３と繋がっている。なお、図示実施の形態においては、各天端ブロック１０２、１０２間の縦目地１ｄ、および植生擁壁ブロック２と天端ブロック１０２との間の横目地１ｅについても、同様に、奥側に向かって、僅かな間隙１ｇが生じている。
【００３９】
また、左右に隣接する各植生擁壁ブロック２、２間には、水抜き穴１ｆ、１ｆが形成されている。そして、裏込め砕石層１０３と、これらの水抜き穴１ｆ、１ｆとの間に掛け渡されるようにして（詳細には、裏込め砕石層１０３側から、水抜き穴１ｆ、１ｆ側に向かって下方に傾斜するようにして）、水抜きパイプ１０６、１０６が設けられている（図３参照）。これにより、法面１００からしみ出る水が、裏込め砕石層１０３および水抜きパイプ１０６、１０６を通って、植生擁壁１の外部に排出される。
【００４０】
また、植生擁壁１は、互いに隣接する各植生擁壁ブロック２、２間に、植生部３に達するようにして、保水材４を介在させてなる。詳細には、この保水材４は、例えば、紙くず、木くず、繊維くず、綿、藁などの素材をシート状に固めたものからなり、上下に隣接する各植生擁壁ブロック２、２間に、前記間隙１ｇに臨むようにして配備されている（図３、４参照）。なお、図示実施の形態においては、天端ブロック１０２と植生擁壁ブロック２との間にも、同様に保水材４が配備されている（図３参照）。
【００４１】
ここで、植生擁壁１を構成する前記植生擁壁ブロック２について説明する。この植生擁壁ブロック２は、前述したように、ブロック本体２ａを備え、そのブロック本体２ａの前面２ｂが、略矩形状に形成されている（図５参照）。そして、前記周面２ｄは、上面２ｅ、下面２ｆ、および左右の側面２ｇ、２ｇとからなる。ここで、周面２ｄには、植生部３を形成するための切欠部２ｈが、前面２ｂから後面２ｃ側に向かって設けられている（図５〜１０参照）。詳細には、切欠部２ｈは、前面２ｂの角部から後面２ｃ側に向かう、周面２ｄの角部（すなわち、上面２ｅおよび下面２ｆと、左右の側面２ｇ、２ｇとが交わる角部）に設けられている。図示実施の形態においては、前面２ｂの四隅から後面２ｃ側に向かう、周面２ｄの角部に、正面視略扇形状の切欠部２ｈ、２ｈ（扇形状切欠部２ｉ、２ｉ）がそれぞれ設けられている。また、上面２ｅおよび下面２ｆの、左右方向の中央部に、正面視略半円状の切欠部２ｈ、２ｈ（半円状切欠部２ｊ、２ｊ）が、それぞれ設けられている。すなわち、上面２ｅ、下面２ｆ、および左右の側面２ｇ、２ｇは、いずれも、切欠部２ｈが設けられた周面２ｄとなっている。また、各切欠部２ｈ、２ｈ（扇形状切欠部２ｉ、２ｉおよび半円状切欠部２ｊ、２ｊ）は、ブロック本体２ａの厚み方向に対して平行となる方向に延びて、かつ、後面２ｃに至るように、設けられている。また、前面２ｂにおける、前記左右方向および上下方向の各外縁部分は、斜めに面取りされている。
【００４２】
また、図示実施の形態においては、天端ブロック１０２についても、植生擁壁ブロック２と同様に、切欠部が設けられている。詳細には、天端ブロック１０２のブロック本体の前面の、四隅のうちの下側の二箇所から後面側に向かう、周面の角部に、扇形状切欠部が、それぞれ設けられている。また、前記ブロック本体の下面の、左右方向の中央部に、半円状切欠部が設けられている。すなわち、この天端ブロック１０２も、植生擁壁ブロックとなっている。
【００４３】
また、植生擁壁ブロック２の周面２ｄには、前記保水材４を収容するための収容凹部２ｋが設けられている（図７〜１０参照）。図示実施の形態においては、収容凹部２ｋは、上面２ｅの前記厚み方向の略中央部に、下方に向かうほどテーパー状に狭まるように形成されている。また、収容凹部２ｋは、上面２ｅに設けられた切欠部２ｈ、２ｈ間（詳細には、扇形状切欠部２ｉと半円状切欠部２ｊとの間）に渡されるように設けられている。そして、その収容凹部２ｋに、例えば、接着剤等によって、保水材４が取り付けられている。
【００４４】
また、ブロック本体２ａの後面２ｃには、控え２ｍ、２ｍが左右一対に突設されている（図６、７参照）。この控え２ｍには、上面２ｅ側に凸部２ｎが、また、下面２ｆ側に、凸部２ｎに対応する凹部２ｐが、それぞれ設けられている。また、両控え２ｍ、２ｍの側方には、前記左右方向に延びるように、リブ２ｑ、２ｑが突設されている。なお、図示実施の形態においては、天端ブロック１０２についても、植生擁壁ブロック２と同様に、左右一対の控えおよびリブが突設されている。ただし、この天端ブロック１０２の控えにあっては、上面側に凸部は設けられておらず、下面側に、植生擁壁ブロック２の控え２ｍの凸部２ｎに対応する凹部のみ設けられている。
【００４５】
また、ブロック本体２ａの側面２ｇ、２ｇの、前記上下方向の略中央部に、前面２ｂから後面２ｃに渡るようにして、水抜き穴形成部２ｒ、２ｒが設けられている（図５、６参照）。この水抜き穴形成部２ｒは、正面視略半円状に切り欠かれており、前面２ｂから後面２ｃに向かってテーパー状に広がるとともに、前面２ｂ側の半円の中心に対して、後面２ｃ側の半円の中心が、上方に位置するように、形成されている。
【００４６】
ここで、植生擁壁ブロック２を用いて植生擁壁１を構築する構築方法について説明する。まず、法面１００の手前に、一段目の植生擁壁ブロック２、２を、そのブロック本体２ａ、２ａの前面２ｂ、２ｂが上方を向くように傾斜させて左右に並べ、それら植生擁壁ブロック２、２の下方に、基礎コンクリート１０１を打設する。このとき、各植生擁壁ブロック２の水抜き穴形成部２ｒ、２ｒは、隣接する他の植生擁壁ブロック２の水抜き穴形成部２ｒ、２ｒと対向するようにして合わさって、水抜き穴１ｆ、１ｆを形成している。そして、各水抜き穴１ｆ、１ｆに水抜きパイプ１０６、１０６を通し、それら水抜きパイプ１０６、１０６の周囲を覆うようにして、植生擁壁ブロック２、２と法面１００との間に、裏込め砕石の充填、並びに胴込めコンクリートおよび裏込めコンクリートの打設を行う。
【００４７】
続いて、一段目の植生擁壁ブロック２、２の上に、二段目の植生擁壁ブロック２、２を、千鳥状に積み重ねる。詳細には、二段目の植生擁壁ブロック２を、その控え２ｍ、２ｍと、一段目の左右に隣接する植生擁壁ブロック２、２の内側に位置する控え２ｍ、２ｍとが、前記縦方向Ｐに連なるように積み重ねる。このとき、二段目の植生擁壁ブロック２の控え２ｍの凹部２ｐと、一段目の植生擁壁ブロック２の控え２ｍの凸部２ｎとが嵌まり合うことで、二段目の植生擁壁ブロック２は自立することができる。この後、一段目の植生擁壁ブロック２、２と同様に、裏込め砕石の充填、並びに胴込めコンクリートおよび裏込めコンクリートの打設を行う。
【００４８】
このとき、二段目の植生擁壁ブロック２の下側の半円状切欠部２ｊと、一段目の左右に隣接する植生擁壁ブロック２、２の上側の、内側に位置する扇形状切欠部２ｉ、２ｉとが対向するようにして合わさって、植生部３が形成される。また、二段目の左右に隣接する植生擁壁ブロック２、２の下側の、内側に位置する扇形状切欠部２ｉ、２ｉと、一段目の植生擁壁ブロック２の上側の半円状切欠部２ｊとが対向するようにして合わさって、植生部３が形成される。また、一段目の植生擁壁ブロック２、２の収容凹部２ｋ、２ｋに取り付けられている保水材４、４が、二段目の植生擁壁ブロック２、２の下面２ｆ、２ｆに臨むようにして、それら一段目と二段目の植生擁壁ブロック２、２間に介在するように配備される。
【００４９】
同様に、植生擁壁ブロック２、２を複数段積み重ね、その上に、天端ブロック１０２、１０２を積み重ねる（ただし、天端ブロック１０２については、水抜き穴は形成されないため、水抜きパイプ１０６を通す作業は行わない）。こうして、植生擁壁ブロック２、２および天端ブロック１０２、１０２が積み重ねられるとともに、前記裏込め砕石層１０３および前記コンクリート層１０４が形成される。その後、天端ブロック１０２、１０２の上部およびその後方に、天端コンクリート１０５を打設して、植生擁壁１が構築される。
【００５０】
こうして構築された植生擁壁１の各植生部３、３には、例えば、土壌を基材とする植生基盤材（図示せず）を充填する等して、植物を植栽することにより、それら植生部３、３にて、すなわち、植生擁壁１の壁面１ｂで、その植物が生育することとなる。ここで、植生部３、３には、あらかじめ一定の大きさに生育した植物を、植生基盤材とともに収容してもよいし、あるいは、植生基盤材の充填後、その植生基盤材に植物の種子を蒔いたり吹き付けたりしてもよい。また、植生基盤材には、土壌以外にも、例えば、肥料、保水材、種子等が混入されていてもよい。なお、生育させる植物については、例えば、岩上や樹皮上に着生する植物（具体的には、ヒトツバ類を始めとするシダ類）等が好ましいが、特に限定されない。
【００５１】
次に、以上の構成からなる植生擁壁１、および植生擁壁ブロック２の作用効果について説明する。この植生擁壁１にあっては、互いに隣接する植生擁壁ブロック２、２間に形成される目地１ａ（縦目地１ｄと横目地１ｅ）を含む目地部分に、植生部３が設けられているため、壁面１ｂに降り注いだ雨水その他の水は、その目地１ａ（縦目地１ｄまたは／および横目地１ｅ）を伝って、植生部３に供給される。したがって、植生部３に雨水その他の水を効果的に供給することができる。また、植生部３にて生育している植物は、例えば、天端ブロック１０２と植生擁壁ブロック２との間および植生擁壁ブロック２、２間の、間隙１ｇ、１ｇを這うようにして、その間隙１ｇ、１ｇ内に根を伸ばすことができる。その一方で、目地１ａ（縦目地１ｄまたは／および横目地１ｅ）を伝う雨水その他の水は、その一部が前記間隙１ｇ、１ｇに浸入して、その間隙１ｇ、１ｇ内に溜められる。こうした場合にあっては、植生部３に供給された雨水その他の水に加えて、前記間隙１ｇ、１ｇに溜まった雨水その他の水についても、その植物に供給される。
【００５２】
また、目地１ａ、１ａ（詳細には、縦目地１ｄと横目地１ｅ）が交わる目地部分には、壁面１ｂに降り注いだ雨水その他の水が集まり易いため、この目地部分に植生部３、３を設けることで、雨水その他の水が植生部３、３に供給され易くなる。また、図示実施の形態においては、水抜き穴１ｆが、左右に隣接する植生擁壁ブロック２、２間に設けられており、その水抜き穴１ｆから植生擁壁１の外部に排出された水についても、目地１ａ（縦目地１ｄと横目地１ｅ）を伝って植生部３、３に供給され易くなる。
【００５３】
また、植生部３は、背面１ｃ側が下方に位置するように傾斜して形成されているため、雨水その他の水は、その植生部３の奥側まで供給され易くなる。
【００５４】
また、上下に隣接する植生擁壁ブロック２、２間に、その植生部３に達するようにして、保水材４を介在させているため、その保水材４に、例えば、前記間隙１ｇ、１ｇに浸入した雨水その他の水が長期間に渡って蓄えられ易くなる。そして、植生部３にて生育している植物が、例えば、前記間隙１ｇ、１ｇを這うようにして根を伸ばし、その伸ばした根が保水材４に達した場合には、その保水材４に蓄えられた雨水その他の水についても、その植物に供給されるため、雨水その他の水が、長期間に渡って前記植物に供給され易くなる。
【００５５】
そして、この植生擁壁ブロック２にあっては、そのブロック本体２ａに設けられた切欠部２ｈ、２ｈが、隣接する他の植生擁壁ブロック２のブロック本体２ａの切欠部２ｈ、２ｈと対向するようにして、並べることによって、植生部３、３を、前記他の植生擁壁ブロック２、２との間に形成される目地１ａ（縦目地１ｄまたは／および横目地１ｅ）を含む目地部分に備えた、植生擁壁１を構築することができる。また、切欠部２ｈ（詳細には、扇形状切欠部２ｉ）が、前面２ｂの四隅から後面２ｃ側に向かう、周面２ｄの角部にそれぞれ設けられているため、植生擁壁ブロック２を上下に積み重ねるようにして並べることにより、その四隅において、目地１ａ、１ａ（縦目地１ｄと横目地１ｅ）が交わるとともに、その交わる目地部分に植生部３、３を備えた、植生擁壁１を構築することができる。
【００５６】
また、切欠部２ｈ（扇形状切欠部２ｉと半円状切欠部２ｊ）は、ブロック本体２ａの厚み方向に対して平行となる方向に延びるように設けられているため、そのブロック本体２ａの前面２ｄが上方を向くように傾斜させて並べることにより、背面１ｃ側が下方に位置するように傾斜して形成される植生部３を備えた、植生擁壁１を構築することができる。
【００５７】
また、ブロック本体２ａの上面２ｅに収容凹部２ｋが設けられ、その収容凹部２ｋに保水材４が取り付けられているため、上側に隣接する他の植生擁壁ブロック２との間に保水材４を介在させた、植生擁壁１を構築することができる。
【００５８】
図１１〜１５は、植生擁壁ブロック２の第一の変形例を示す。この植生擁壁ブロック２にあっては、上面２ｅおよび下面２ｆの、前記左右方向における中央部と両端部との中間位置（図示実施の形態においては、前記中央部からブロック本体２ａの横幅の１／４の寸法だけ前記左右方向にそれぞれ移動した位置）に、半円状切欠部２ｊ、２ｊが設けられている（図１１、１２参照）。すなわち、上面２ｅおよび下面２ｆが、切欠部２ｈが設けられた周面２ｄとなっている。また、各半円状切欠部２ｊ、２ｊは、それぞれ前面２ｂから控え２ｍの凸部２ｎの手前まで形成されており、後面２ｃには至っていない（図１２参照）。
【００５９】
また、収容凹部２ｋは、下面２ｆに形成されている（図１１、１３参照）。詳細には、収容凹部２ｋは、ブロック本体２ａの前面２ｂの下側の外縁部分から、後面２ｃ側に向かって切り欠くようにして形成されている。また、収容凹部２ｋは、下面２ｆに設けられた半円状切欠部２ｊ、２ｊを除いて、その下面２ｆの前記左右方向の略全域に渡って形成されている。そして、ブロック本体２ａの厚み方向の略中央部（すなわち、収容凹部２ｋの奥側）に、保水材４が取り付けられている。
【００６０】
そして、前述した構築方法と同様に、植生擁壁ブロック２、２および天端ブロック１０２、１０２を積み重ねて、植生擁壁１を構築する。このとき、上下に隣接する植生擁壁ブロック２、２において、上段側の植生擁壁ブロック２の下側の半円状切欠部２ｊ、２ｊと、下段側の左右に隣接する植生擁壁ブロック２、２の内側に位置する、上側の半円状切欠部２ｊ、２ｊとが対向するようにして合わさって、植生部３、３が形成される（図１５参照）。こうして、植生部３、３は、横目地１ｅを含む目地部分（横目地１ｅおよびその周辺部分）、詳細には、縦目地１ｄと横目地１ｅとが交わる目地部分から離れた中間の位置における、横目地１ｅを含む目地部分に設けられる。また、上段側の植生擁壁ブロック２、２の収容凹部２ｋ、２ｋに取り付けられている保水材４、４が、下段側の植生擁壁ブロック２、２の上面２ｅ、２ｅに臨むようにして、それら上段側と下段側の植生擁壁ブロック２、２間に介在するように配備される（図１４参照）。そして、これら保水材４、４は、植生擁壁１の壁面１ｂ側から視認することができる。
【００６１】
なお、図示実施の形態においては、天端ブロック１０２と植生擁壁ブロック２との間に形成される横目地１ｅを含む目地部分についても、同様に、植生部３が設けられている（図１５参照）。すなわち、この天端ブロック１０２には、植生擁壁ブロック２と同様に、切欠部が設けられている（詳細には、天端ブロック１０２のブロック本体の下面の、左右方向における、中央部と両端部との中間位置に、半円状切欠部が設けられている）。また、この天端ブロック１０２は、植生擁壁ブロック２と同様に、そのブロック本体の下面に収容凹部が形成され、かつ、その収容凹部に保水材が取り付けられており、この天端ブロック１０２と植生擁壁ブロック２との間にも、同様に、保水材が介在するように配備される。
【００６２】
そして、この植生擁壁ブロック２にあっては、そのブロック本体２ａに設けられた半円状切欠部２ｊ、２ｊが、上下に隣接する他の植生擁壁ブロック２のブロック本体２ａの半円状切欠部２ｊ、２ｊと対向するようにして、並べることによって、植生部３、３を、前記他の植生擁壁ブロック２、２との間に形成される目地１ａ（横目地１ｅ）を含む目地部分に備えた、植生擁壁１を構築することができる。そして、構築された植生擁壁１にあっては、前記目地部分に、植生部３が設けられているため、壁面１ｂに降り注いだ雨水その他の水は、その横目地１ｅを伝って、植生部３に供給される。したがって、植生部３に雨水その他の水を効果的に供給することができる。
【００６３】
図１６〜２２は、植生擁壁ブロック２の第二の変形例を示す。この植生擁壁ブロック２にあっては、互いに隣接する植生擁壁ブロック２、２間に雨水その他の水を導くための導水手段５を、植生擁壁１の天端側から下方に向かって形成すべく、ブロック本体２ａの後面２ｃに、繊維状の素材が絡み合った多孔質材５ａが、切欠部２ｈが設けられた周面２ｃに達するようにして、取り付けられている（図１６〜１９参照）。詳細には、後面２ｃは、左右一対の控え２ｍ、２ｍを除いて、平坦に形成されている（図１７、１８参照）。そして、その後面２ｃの前記左右方向における中央部に、帯状の第一多孔質材５ｂが、また、その後面２ｃの前記左右方向における両端部に、帯状の第二多孔質材５ｃ、５ｃが、それぞれ上面２ｅと下面２ｆとに達するようにして取り付けられている。ここで、第二多孔質材５ｃ、５ｃは、第一多孔質材５ｂと比べて、その横幅の寸法が略半分であり、さらに、水抜き穴形成部２ｒ、２ｒ部分が切り欠かれている。そして、植生擁壁ブロック２、２の正面視において、各切欠部２ｈ、２ｈ（扇形状切欠部２ｉ、２ｉと半円状切欠部２ｊ、２ｊ）部分に、多孔質材５ａ（第一多孔質材５ｂと第二多孔質材５ｃ）が露出している（図１６参照）。また、前面２ｂにおける上側の外縁部分は、面取りされておらず、その前面２ｂから突き出る突出部２ｓが形成されている（図１８、１９参照）。
【００６４】
そして、前述した構築方法と同様に、植生擁壁ブロック２、２および天端ブロック１０２、１０２を積み重ねて、植生擁壁１を構築する。ここで、前記導水手段５を形成すべく、天端ブロック１０２のブロック本体の後面にも、植生擁壁ブロック２と同様に、多孔質材５ａが取り付けられている。図示実施の形態においては、天端ブロック１０２には、植生擁壁１の天端側に、雨水その他の水を貯留する貯水部６を形成する貯水部形成部２ｔが設けられている（図２０、２２参照）。この貯水部形成部２ｔは、天端ブロック１０２のブロック本体の後面における、上側の外縁部分を、左右方向の全域に渡って切り欠くようにして形成されている。そして、そのブロック本体の後面の前記左右方向における中央部に、帯状の第一多孔質材が、また、その後面の前記左右方向における両端部に、帯状の第二多孔質材が、それぞれ貯水部形成部２ｔとブロック本体の下面とに達するようにして取り付けられている。また、各多孔質材５ａ（第一多孔質材と第二多孔質材）は、その先端が、貯水部形成部２ｔ側に飛び出している。
【００６５】
そして、植生擁壁ブロック２、２を積み重ねた際に、それらのブロック本体２ａ、２ａに取り付けられた多孔質材５ａ、５ａが、上下に隣接する他の植生擁壁ブロック２、２のブロック本体２ａ、２ａに取り付けられた多孔質材５ａ、５ａと連なる。詳細には、各段の上下において、第一多孔質材５ｂと、左右に隣接する植生擁壁ブロック２、２の内側に位置する第二多孔質材５ｃ、５ｃが互いに当接して形成された、第一多孔質材と同幅の多孔質材５ａとが、前記縦方向Ｐに交互に連なる。そして、その上方に、さらに、天端ブロック１０２の多孔質材５ａ（詳細には、第１多孔質材、および左右に隣接する天端ブロック１０２、１０２の内側に位置する第二多孔質材が互いに当接して形成された、第一多孔質材と同幅の多孔質材）が、前記縦方向Ｐに連なるとともに、その連なった多孔質材５ａ、５ａ群が、植生擁壁１の天端側に露出している。すなわち、この植生擁壁１には、前記導水手段５としての多孔質材５ａ、５ａ群が、この植生擁壁１の天端側から下方に向かって、天端ブロック１０２、１０２のブロック本体の後面および植生擁壁ブロック２、２のブロック本体２ａ、２ａの後面２ｃ、２ｃを伝い、そして、天端ブロック１０２と植生擁壁ブロック２との間および前記植生擁壁ブロック２、２間に達するように延設されている。
【００６６】
図示実施の形態においては、前記多孔質材５ａ、５ａ群は、天端ブロック１０２および植生擁壁ブロック２における、上下に連なる控え２ｍ、２ｍ群と、前記横方向Ｑに沿って交互に位置するように形成されている（図２２参照）。そして、この植生擁壁１は前記貯水部６を備え、その貯水部６から、導水手段５が延設されている。詳細には、この貯水部６は、例えば、植生擁壁１の天端の一部を窪ませるようにして、より詳細には、各天端ブロック１０２、１０２の貯水部形成部２ｔ、２ｔと、その貯水部形成部２ｔ、２ｔに対応して窪むように形成された、コンクリート層１０４および天端コンクリート１０５によって、前記横方向Ｑに沿って溝状に延設されている（図２０、２２参照）。そして、貯水部６内には、多孔質材５ａ、５ａ群の先端（詳細には、天端ブロック１０２、１０２の各多孔質材５ａ、５ａの、貯水部形成部２ｔ、２ｔ側に飛び出している部分）が飛び出している。
【００６７】
なお、植生部３は、その奥側が多孔質材５ａ、５ａ群に達している（図２１参照）。また、各横目地１ｅ、１ｅの下方には、植生擁壁ブロック２、２に設けられた突出部２ｓ、２ｓが、それら横目地１ｅ、１ｅに沿うようにして、壁面１ｂから突き出ている。
【００６８】
そして、この植生擁壁ブロック２についても、同様に、植生部３、３を、隣接する他の植生擁壁ブロック２、２との間に形成される目地１ａ（縦目地１ｄおよび横目地１ｅ）を含む目地部分に備えた、植生擁壁１を構築することができる。そして、構築された植生擁壁１においても、同様に、その植生部３、３に雨水その他の水を効果的に供給することができる。
【００６９】
また、この植生擁壁１にあっては、前記天端側に降り注いだ雨水その他の水が、導水手段５としての前記多孔質材５ａ、５ａ群によって、天端ブロック１０２、１０２のブロック本体の後面および植生擁壁ブロック２、２のブロック本体２ａ、２ａの後面２ｃ、２ｃを伝って、天端ブロック１０２と植生擁壁ブロック２との間および植生擁壁ブロック２、２間の、間隙１ｇ、１ｇに導かれるため、その間隙１ｇ、１ｇに雨水その他の水が溜まり易くなる。そして、植生部３、３にて生育している植物が、例えば、前記間隙１ｇ、１ｇを這うようにして根を伸ばした場合には、雨水その他の水が、前記植物に供給され易くなる。とくに、例えば、短時間に多量の雨が降った場合等には、その雨水は、多孔質材５ａによって、少量ずつ流れて、確実に前記間隙１ｇ、１ｇに導かれる。なお、図示実施の形態においては、導水手段５（多孔質材５ａ、５ａ群）によって導かれた雨水その他の水の一部は、直接、植生部３、３にも供給される。
【００７０】
また、この植生擁壁１にあっては、天端側に降り注いだ雨水その他の水は、その天端側に設けられた貯水部６に貯留され、その貯水部６から延設された導水手段５（多孔質材５ａ、５ａ群）によって、前記間隙１ｇ、１ｇに導かれるため、より多くの雨水その他の水を、前記間隙１ｇ、１ｇに導くことができる。また、図示実施の形態においては、植生部３、３にて生育している植物に人為的に水を供給したい場合に、貯水部６に水を入れることで、その水が、導水手段５（多孔質材５ａ、５ａ群）によって各植生部３、３に供給されるため、植物への水の供給を容易に行うことができる。
【００７１】
また、各横目地１ｅ、１ｅの下方には、突出部２ｓ、２ｓが、それら横目地１ｅ、１ｅに沿うようにして、壁面１ｂから突き出ているため、壁面１ｂに降り注いだ雨水その他の水は、その横目地１ｅを伝わり易い。
【００７２】
図２３〜２５は、植生擁壁ブロック２の第三の変形例を示す。この植生擁壁ブロック２は、前述した第二の変形例とは、ブロック本体２ａの厚みや控え２ｍの形状が異なるが、他はほぼ同様であり、以下に、同一の機能を有する部位には、同一の符号を付して、異なる部分を主に説明する。
【００７３】
この植生擁壁ブロック２にあっては、第二の変形例における植生擁壁ブロックと比較して、ブロック本体２ａおよび収容凹部２ｋ並びに保水材４の、前記厚み方向の幅寸法が大きく形成されている（図２４参照）。また、植生擁壁ブロック２の左右一対の控え２ｍ、２ｍには、上下方向に貫通する貫通部２ｕ、２ｕが形成されている。また、ブロック本体２ａの側面２ｇ、２ｇには、水抜き穴形成部は設けられておらず、ブロック本体２ａの前面２ｂの略中央に、水抜き穴１ｆが形成されている（図２３参照）。そして、この水抜き穴１ｆ部分にも、多孔質材５ａ（詳細には、第１多孔質材５ｂ）が露出している。また、前面２ｂにおける上側の外縁部分についても面取りされている。
【００７４】
ここで、この植生擁壁ブロック２を用いて植生擁壁１を構築する構築方法について説明する。まず、基礎コンクリート１０１の上に、植生擁壁ブロック２、２を垂直方向に積み重ねていく。詳細には、基礎コンクリート１０１から上方に向かって突出するように設けられた鉄筋（図示せず）に、植生擁壁ブロック２の控え２ｍ、２ｍの貫通部２ｕ、２ｕを通すようにして、植生擁壁ブロック２、２を、千鳥状に複数段積み重ねていく。より詳細には、各段の上下において、植生擁壁ブロック２の控え２ｍ、２ｍの貫通部２ｕ、２ｕと、左右に隣接する植生擁壁ブロック２、２の内側に位置する控え２ｍ、２ｍの貫通部２ｕ、２ｕとが、前記縦方向Ｐに連通するようにして、その植生擁壁ブロック２を積み重ねる。そして、複数段積み重ねられた植生擁壁ブロック２、２の上に、天端ブロック１０２、１０２を積み重ねる。ここにおいて、天端ブロック１０２についても、植生擁壁ブロック２と同様に、そのブロック本体の厚み方向の幅寸法が大きく形成され、かつ、左右一対の控えに貫通部が設けられており、それら貫通部と、複数段積み重ねられた植生擁壁ブロック２、２の貫通部２ｕ、２ｕとが、前記縦方向Ｐに連通することとなる。なお、図示実施の形態においては、天端ブロック１０２の左右一対の控えは、そのブロック本体の後面の略下半分においてのみ、形成されている。また、天端ブロック１０２にも、植生擁壁ブロック２と同様に、水抜き穴１ｆが形成されている。
【００７５】
そして、前記縦方向Ｐに連通する貫通部群に、コンクリートやモルタル等を充填して、植生擁壁１が構築される（図２４参照）。この植生擁壁１は、植生擁壁ブロック２、２および天端ブロック１０２、１０２が、設置面に対して垂直方向に積み重ねられて構築された垂直積み擁壁であって、その垂直方向と前記縦方向Ｐとが一致している。また、植生部３は、開口側（すなわち、壁面１ｂ側）と奥側（背面１ｃ側）とが互いに水平に位置するように形成されている。そして、この植生擁壁ブロック２、２および天端ブロック１０２、１０２の背後には、例えば、設置現場を整備した際に発生する土砂１０７等が埋め戻される。この場合、前記天端側から下方に向かって延設されている、導水手段５としての多孔質材５ａ、５ａ群は、その天端側に降り注いだ雨水その他の水に加えて、土砂１０７からしみ出る雨水その他の水についても、天端ブロック１０２と植生擁壁ブロック２との間および植生擁壁ブロック２、２間（詳細には、その間隙）に導くこととなる。また、この植生擁壁１では、植生擁壁ブロック２および天端ブロックにおける、土砂１０７に臨む面（すなわち、各ブロックのブロック本体の後面、控えの突出面、および多孔質材）が背面１ｃとなる。
【００７６】
そして、この植生擁壁ブロック２についても、同様に、植生部３、３を、隣接する他の植生擁壁ブロック２、２との間に形成される目地１ａ（縦目地１ｄおよび横目地１ｅ）を含む目地部分に備えた、植生擁壁１を構築することができる。そして、構築された植生擁壁１においても、同様に、その植生部３、３に雨水その他の水を効果的に供給することができる。また、この植生擁壁１にあっては、前記天端側に降り注いだ雨水や土砂１０７からしみ出る雨水その他の水が、導水手段５（多孔質材５ａ、５ａ群）によって、天端ブロック１０２、１０２のブロック本体の後面およびブロック本体２ａ、２ａの後面２ｃ、２ｃを伝って、それらブロック間の間隙に導かれるため、その間隙に雨水その他の水が溜まり易くなる。
【００７７】
図２６、２７は、植生擁壁ブロックの第四の変形例を示す。この植生擁壁ブロック２は、前述した第三の変形例とは、導水手段５の構成が異なり、また、粒状物Ｗの付着による凹凸が形成されている点で異なるが、他はほぼ同様であり、以下に、同一の機能を有する部位には、同一の符号を付して、異なる部分を主に説明する。
【００７８】
この植生擁壁ブロック２にあっては、ブロック本体２ａに、切欠部２ｈが設けられた周面２ｄに開口するようにして、そのブロック本体２ａを貫通する、貫通孔５ｄが設けられている。図示実施の形態においては、貫通孔５ｄは、上面２ｅにおける収容凹部２ｋ、２ｋの略中央部分に、ブロック本体２ａおよび収容凹部２ｋ、２ｋに取り付けられた保水材４、４を、上下方向に貫通するようにして設けられている（図２６、２７参照）。そして、この貫通孔５ｄ内には、導水手段５を形成すべく、水の通水量を制約する詰め部材が充填される。なお、詰め部材としては、例えば、既述した多孔質材５ａと同様の素材からなる多孔質材５ａを利用することができる。
【００７９】
また、この植生擁壁ブロック２のブロック本体２ａの周面２ｄ（図示実施の形態にあっては、上面２ｅ）には、粒状物Ｗの付着による凹凸が形成されている。
【００８０】
そして、前述した構築方法と同様に、植生擁壁ブロック２、２および天端ブロック（図示せず）を積み重ねて、植生擁壁１を構築する。ここで、天端ブロックのブロック本体にも、植生擁壁ブロック２と同様に、そのブロック本体の上下方向に貫通するようにして貫通孔が設けられている。そして、植生擁壁ブロック２、２を積み重ねた際に、それらのブロック本体２ａ、２ａの貫通孔５ｄ、５ｄが、上下に隣接する植生擁壁ブロック２、２のブロック本体２ａ、２ａの貫通孔５ｄ、５ｄと連通する。詳細には、各段の上下において、植生擁壁ブロック２のブロック本体２ａの貫通孔５ｄ、５ｄと、左右に隣接する植生擁壁ブロック２、２のブロック本体２ａ、２ａの内側に位置する貫通孔５ｄ、５ｄとが、前記縦方向Ｐに連通する。そして、その上に積み重ねられた天端ブロックの貫通孔が、前記縦方向Ｐに連通する貫通孔５ｄ、５ｄと連通するとともに、その連なった貫通孔群が、植生擁壁１の天端側に開口している。すなわち、この植生擁壁１には、前記貫通孔群が、この植生擁壁１の天端側から下方に向かって、天端ブロックのブロック本体および植生擁壁ブロック２、２のブロック本体２ａ、２ａ内を貫通するとともに、天端ブロックと植生擁壁ブロック２との間および前記植生擁壁ブロック２、２間に達するように延設されている。そして、この貫通孔群に、前記詰め部材が充填されて、導水手段５が形成される。また、この植生擁壁１にあっては、横目地が、各植生擁壁ブロック２、２の上面２ｅ、２ｅにおける、粒状物Ｗの付着による凹凸分だけ、その幅が広くなっている。
【００８１】
そして、この植生擁壁ブロック２についても、同様に、植生部を、隣接する他の植生擁壁ブロック２、２との間に形成される目地（縦目地および横目地）を含む目地部分に備えた、植生擁壁を構築することができる。そして、構築された植生擁壁においても、同様に、その植生部に雨水その他の水を効果的に供給することができる。また、この植生擁壁にあっては、前記天端側に降り注いだ雨水その他の水が、導水手段５によって、天端ブロックのブロック本体および植生擁壁ブロック２、２のブロック本体２ａ、２ａ内を通って、天端ブロックと植生擁壁ブロック２との間および植生擁壁ブロック２、２間の、間隙に導かれるため、その間隙に雨水その他の水が溜まり易くなる。
【００８２】
また、この植生擁壁ブロック２にあっては、ブロック本体２ａの上面２ｅに、粒状物Ｗの付着による凹凸が形成されているため、上方に隣接する他の植生擁壁ブロック２、２との間に形成される目地（横目地）の幅を、粒状物の付着による凹凸分だけ広くすることができる。そして、目地（横目地）の幅が広くなった植生擁壁にあっては、壁面に降り注いだ雨水その他の水は、その目地（横目地）を伝わり易く、植生部に供給され易い。
【００８３】
図２８、２９は、植生擁壁ブロック２の第五の変形例を示す。この植生擁壁ブロック２は、前述した第三の変形例とは、切欠部２ｈおよび多孔質材５ａの配置が異なるが、他はほぼ同様であり、以下に、同一の機能を有する部位には、同一の符号を付して、異なる部分を主に説明する。
【００８４】
この植生擁壁ブロック２にあっては、第一の変形例における植生擁壁ブロック２と同様に、上面２ｅおよび下面２ｆの、前記左右方向における中央部と両端部との中間位置（図示実施の形態においては、前記中央部から、ブロック本体２ａの横幅の１／４の寸法だけ前記左右方向にそれぞれ移動した位置）に、半円状切欠部２ｊ、２ｊが設けられている（図２８参照）。また、各半円状切欠部２ｊ、２ｊは、それぞれ前面２ｂから貫通部２ｕ、２ｕに達するようにして形成されている（図２９参照）。そして、前記導水手段５を形成すべく、ブロック本体２ａの後面２ｃにおける、貫通部２ｕ、２ｕ内に露出する面に、上面２ｅと下面２ｆとに達するようにして、前記多孔質材５ａ、５ａが取り付けられている（図２９参照）。
【００８５】
そして、前述した構築方法と同様に、植生擁壁ブロック２、２および天端ブロック（図示せず）を積み重ねて、植生擁壁を構築する。ここで、前記導水手段５を形成すべく、天端ブロックのブロック本体の後面における、貫通部内に露出する面にも、植生擁壁ブロック２と同様に、そのブロック本体の上面と下面とに達するようにして、多孔質材が取り付けられている。そして、前記縦方向Ｐに連通する貫通部群の内部において、植生擁壁ブロック２、２の貫通部２ｕ、２ｕに取り付けられた多孔質材５ａ、５ａおよび天端ブロックの貫通部に取り付けられた多孔質材が、前記縦方向Ｐに連なるとともに、その連なった多孔質材群が、植生擁壁の天端側に露出している。そして、前記貫通部群には、コンクリートやモルタル等を、それらの多孔質材５ａ、５ａの周囲を覆うようにして充填する。
【００８６】
そして、この植生擁壁ブロック２にあっては、そのブロック本体２ａに設けられた半円状切欠部２ｊ、２ｊが、上下に隣接する他の植生擁壁ブロック２のブロック本体２ａの半円状切欠部２ｊ、２ｊと対向するようにして、並べることによって、植生部を、上下に隣接する他の植生擁壁ブロック２、２との間に形成される目地（横目地）を含む目地部分に備えた、植生擁壁を構築することができる。そして、構築された植生擁壁は、前記目地部分に、植生部が設けられているため、壁面に降り注いだ雨水その他の水は、その横目地を伝って植生部に供給される。したがって、植生部に雨水その他の水を効果的に供給することができる。
【００８７】
なお、本発明は、上述した実施の形態に限定されるわけではなく、その他種々の変更が可能である。例えば、植生部３は、壁面１ｂに略円形状に開口していなくても、他の形状に開口していてもよい。また、植生部３は、例えば、植生擁壁ブロック２のブロック本体２ａの厚み方向の途中まで切り欠いたり、あるいは、コンクリート層１０４を窪ませたりすることにより、壁面１ｂから背面１ｃ側に向かって凹むようにして設けられていてもよい。また、植生部３は、壁面１ｂから背面１ｃ側に向かって貫通するようにして（例えば、植生擁壁ブロック２のブロック本体２ａおよびコンクリート層１０４を貫通して、裏込め砕石層１０３に達するようにして、あるいは、植生擁壁ブロック２のブロック本体２ａを貫通して、土砂１０７に達するようにして）設けられていてもよい。
【００８８】
また、植生擁壁１は、植生擁壁ブロック２と、切欠部２ｈが設けられていない他の擁壁ブロックとを用いて構築されていてもよい。ここにおいて、植生部３は、植生擁壁ブロック２の本体ブロック２ａに設けられた切欠部２ｈが、隣接する前記他の擁壁ブロックのブロック本体の周面と対向するようにして、植生部を形成してもよい。また、切欠部２ｈが設けられた周面２ｄに、収容凹部２ｋが設けられている場合にあっては、その収容凹部２ｋに収容させた保水材４が、前記他の擁壁ブロックの周面に臨むように並べられてもよい。また、切欠部２ｈが設けられた周面２ｄに、粒状物が付着している場合にあっては、その周面２ｄが、前記他の擁壁ブロックの周面に臨むように並べられてもよい。
【００８９】
また、植生擁壁１にあっては、植生擁壁ブロック２が馬積みされていなくてもよく、例えば、縦目地１ｄが前記縦方向Ｐに沿って連続して形成されるように積み重ねられていてもよい（すなわち、芋積みされていてもよい）。また、植生擁壁１は、布積みされていなくてもよく、例えば、図３０に示す他の実施の形態のように、各擁壁ブロック２、２が、斜めに傾けて積み重ねられていてもよい（すなわち、谷積みされていてもよい）。あるいは、植生擁壁１は、例えば、上下方向の寸法が大きい植生擁壁ブロックを、上下に積み重ねることなく、左右にのみ並べるようにして、構築されていてもよい。また、この発明は、重力式擁壁、もたれ式擁壁、Ｌ型擁壁、逆Ｔ型擁壁を始めとして各種擁壁に実施可能であって、特定の擁壁に限定されるものではない。
【００９０】
また、目地１ａ（縦目地１ｄと横目地１ｅ）および間隙１ｇ、１ｇに、例えば、モルタルや漆喰などの充填素材が充填されていてもよい。
【００９１】
また、植生擁壁１は、ブロック間に、保水材４を、植生部３に達するようにして介在させていなくても、植生部３に近接するように介在させていればよい。また、保水材４は、既述した素材以外の素材をシート状に固めたものや、あるいは、段ボールや不織布等でもよく、保水機能を有するものであればよい。また、植生擁壁１は、ブロック間に、保水材４を介在させていなくてもよい。
【００９２】
また、植生擁壁ブロック２にあっては、ブロック本体２ａの前面２ｂが、略矩形状に形成されていなくても、例えば、他の多角形等の、その他の形状に形成されていてもよい。また、切欠部２ｈは、ブロック本体２ａの厚み方向に対して平行となる方向に延びるように形成されていなくても、例えば、後面２ｃ側が下方に位置するように傾斜して形成されていてもよいし、または、後面２ｃ側が上方に位置するように傾斜して形成されていても、前面２ｂが上方を向くように傾斜させて並べた際に、その切欠部２ｈが、壁面１ｂ側と背面１ｃ側とで互いに水平に位置するように、あるいは、背面１ｃ側が下方に位置するように傾斜して形成されるものであればよい。また、切欠部２ｈは、正面視略扇形状あるいは正面視略半円状に設けられていなくても、その他の形状に形成されていてもよい。
【００９３】
また、切欠部２ｈは、ブロック本体２ａの前面２ｂから後面２ｃに至るようにして形成されていなくても、前面２ｂから後面２ｃに向かう途中まで切り欠くようにして設けられていてもよい。このとき、植生部３は、壁面１ｂから背面１ｃ側に向かって凹むようにして設けられることになる。
【００９４】
また、収容凹部２ｋは、植生擁壁ブロック２のブロック本体２ａの左右の側面２ｇ、２ｇに設けられていてもよい。また、植生擁壁ブロック２は、収容凹部２ｋに、あらかじめ保水材４が取り付けられていなくてもよく、例えば、植生擁壁ブロック２を積み上げる際に、その収容凹部２ｋに保水材４を収容させてもよいし、あるいは、収容凹部２ｋに保水材４を収容させずに、植生擁壁ブロック２を積み上げることにより、前記植生擁壁ブロック２、２間に浸入した雨水その他の水が、その収容凹部２ｋに溜まるようにしてもよい。また、植生擁壁ブロック２のブロック本体２ａには、収容凹部２ｋが設けられていなくても、例えば、そのブロック本体２ａの周面２ｄ（上面２ｅ、下面２ｆ、および左右の側面２ｇ、２ｇ）に、あらかじめ保水材４が取り付けられていてもよいし、あるいは、植生擁壁ブロック２を積み上げる際に、隣接する植生擁壁ブロック２、２間に、保水材４を挟み込んでもよい。
【００９５】
また、切欠部２ｈが設けられていない周面２ｄに、収容凹部２ｋが設けられていてもよい。同様に、切欠部２ｈが設けられていない周面２ｄに、保水材４が取り付けられていてもよい。また、切欠部２ｈが設けられていない周面２ｄに、粒状物が付着していてもよい。あるいは、植生擁壁１を構築する現場において、植生擁壁ブロック２の周面２ｄに接着剤を塗布するとともに、粒状物を吹き付けてもよい。
【００９６】
また、擁壁ブロックが並べられて構築された既設の擁壁を利用して、植生擁壁１を形成してもよい。すなわち、互いに隣接する前記擁壁ブロック間に形成される目地を含む目地部分に、例えば、電気ドリル等を用いて、前記擁壁の壁面から背面側に向かって、凹むようにして、または、貫通するようにして、植生部３を設けることにより、植生擁壁１を形成してもよい。ここで、前記擁壁ブロックが、上下に積み重なるようにして、並べられている場合にあっては、植生部３を、一の方向に延びる目地と他の方向に延びる目地とが交わる前記目地部分に設けてもよい。また、植生部３を、前記背面側が下方に位置するように傾斜して形成してもよい。
【００９７】
以上、植生部３を備える植生擁壁１、およびその植生擁壁１を構成する植生擁壁ブロック２には、各種の構成が考えられるので、図示実施の形態に示されるものに限定されない。すなわち、上述の植生擁壁１および植生擁壁ブロック２の各構成部分を適宜組み合わせたり、各構成部分の形状とか数とか配置を適宜変更したりしてもよいのは勿論である。
【００９８】
また、植生壁は、植生擁壁１などの、法面等に構築される擁壁でなくても、例えば、建物の壁等、その他の構造物の壁であってもよい。
【図面の簡単な説明】
【００９９】
【図１】この発明の一実施の形態の、植生擁壁の正面図である。
【図２】同じく、図１におけるＡ部拡大図である。
【図３】同じく、図１におけるＢ−Ｂ線による断面図である。
【図４】同じく、図３におけるＣ部拡大図である。
【図５】同じく、植生擁壁ブロックの正面図である。
【図６】同じく、背面図である。
【図７】同じく、平面図である。
【図８】同じく、図５におけるＤ−Ｄ線による断面図である。
【図９】同じく、図７におけるＥ部拡大図である。
【図１０】同じく、図８におけるＦ部拡大図である。
【図１１】この発明の植生擁壁ブロックの第一の変形例の正面図である。
【図１２】同じく、平面図である。
【図１３】同じく、図１１におけるＧ−Ｇ線による断面図である。
【図１４】同じく、この植生擁壁ブロックを積み重ねて構築された植生擁壁における、図４相当図である。
【図１５】同じく、植生擁壁の正面図である。
【図１６】この発明の植生擁壁ブロックの第二の変形例の正面図である。
【図１７】同じく、背面図である。
【図１８】同じく、平面図である。
【図１９】同じく、図１６におけるＨ−Ｈ線による断面図である。
【図２０】同じく、この植生擁壁ブロックを積み重ねて構築された植生擁壁における、図３相当図である。
【図２１】同じく、図４相当図である。
【図２２】同じく、図２０におけるＩ−Ｉ線による断面図である。
【図２３】この発明の植生擁壁ブロックの第三の変形例の正面図である。
【図２４】同じく、平面図である。
【図２５】同じく、この植生擁壁ブロックを積み重ねて構築された植生擁壁における、図３相当図である。
【図２６】この発明の植生擁壁ブロックの第四の変形例の正面図である。
【図２７】同じく、平面図である。
【図２８】この発明の植生擁壁ブロックの第五の変形例の正面図である。
【図２９】同じく、平面図である。
【図３０】この発明の他の実施の形態の、植生擁壁の正面図である。
【符号の説明】
【０１００】
１    植生擁壁（植生壁）
１ａ  目地
１ｂ  壁面
１ｃ  背面
１ｄ  縦目地（目地）
１ｅ  横目地（目地）
２    植生擁壁ブロック（植生ブロック）
２ａ  ブロック本体
２ｂ  前面
２ｃ  後面
２ｄ  周面
２ｅ  上面（周面）
２ｆ  下面（周面）
２ｇ  側面（周面）
２ｈ  切欠部
２ｉ  扇形状切欠部（切欠部）
２ｊ  半円状切欠部（切欠部）
２ｋ  収容凹部
３    植生部
４    保水材
５    導水手段
５ａ  多孔質材
５ｂ  第１多孔質材（多孔質材）
５ｃ  第２多孔質材（多孔質材）
５ｄ  貫通孔
６    貯水部
Ｐ    縦方向
Ｑ    横方向
【図１】
2009041258.tif 000003
【図２】
2009041258.tif 000004
【図３】
2009041258.tif 000005
【図４】
2009041258.tif 000006
【図５】
2009041258.tif 000007
【図６】
2009041258.tif 000008
【図７】
2009041258.tif 000009
【図８】
2009041258.tif 000010
【図９】
2009041258.tif 000011
【図１０】
2009041258.tif 000012
【図１１】
2009041258.tif 000013
【図１２】
2009041258.tif 000014
【図１３】
2009041258.tif 000015
【図１４】
2009041258.tif 000016
【図１５】
2009041258.tif 000017
【図１６】
2009041258.tif 000018
【図１７】
2009041258.tif 000019
【図１８】
2009041258.tif 000020
【図１９】
2009041258.tif 000021
【図２０】
2009041258.tif 000022
【図２１】
2009041258.tif 000023
【図２２】
2009041258.tif 000024
【図２３】
2009041258.tif 000025
【図２４】
2009041258.tif 000026
【図２５】
2009041258.tif 000027
【図２６】
2009041258.tif 000028
【図２７】
2009041258.tif 000029
【図２８】
2009041258.tif 000030
【図２９】
2009041258.tif 000031
【図３０】
2009041258.tif 000032